(57)【要約】      （修正有）【課題】映像を出力する手段を分離して軽量且つ小型化を実現して携帯することができる箱型空間映像結像装置を提供する。【解決手段】支持板部３に装着される表示装置（スマートデバイス２）とハーフミラー部５と再帰反射基盤部６とにより光学系空間７を形成し、支持板部３と再帰反射基盤部６とにより光学系空間７を上向きに開口させて両側より光学系空間７を挟む両側板部８を設け、上向き開口にハーフミラー部５を配置し、側板部８及び／又はハーフミラー部５に表示装置を光学系空間７内に挿着する挿入口９を設ける。【選択図】図１
0003215743.tif 000002
【実用新案登録請求の範囲】
【請求項１】
表示装置を装着する支持板部と、支持板部に装着される表示装置の表示面に対して角度を有して支持板部の上方位置に配置されたハーフミラー部と、ハーフミラー部と支持板部とに対してそれぞれ角度を設けて対面する位置に配置された再帰反射基盤部とを備え、前記支持板部に装着される前記表示装置と前記ハーフミラー部と前記再帰反射基盤部とにより光学系空間が形成され、当該光学系空間において前記表示装置の表示面からの出力光が前記ハーフミラー部に反射して前記再帰反射基盤部へ投光され、さらに前記再帰反射基盤部からの再帰反射光が前記ハーフミラー部に照射されて前記ハーフミラー部を通過する前記再帰反射光により前記ハーフミラー部の上方に浮いた状態で映像を結像する箱型空間映像結像装置であって、
前記支持板部と前記再帰反射基盤部とにより前記光学系空間を上向きに開口させて両側より前記光学系空間を挟む両側板部を設け、前記上向き開口に前記ハーフミラー部を配置し、前記表示装置を前記光学系空間内に装着する挿入口を設けたことを特徴とする箱型空間映像結像装置。
【請求項２】
光学系空間が支持板部とハーフミラー部と再帰反射基板部と両側板部とを含んで構成されており、挿入口が光学系空間を構成する各部のいずれかに設けられている請求項１記載の箱型空間映像結像装置。
【請求項３】
前記支持板部と前記再帰反射基盤部とは共に矩形状に形成されて谷形可能に連結されており、連結した前記支持板部と前記再帰反射基盤部との両側縁には前記両側板部に支持されて前記谷形を形成する嵌合部が設けられている組立て分解可能な請求項１又は請求項２記載の箱型空間映像結像装置。
【請求項４】
前記支持板部と前記再帰反射基盤部とは共に矩形状に形成されて谷形に連結され、前記支持板部と前記再帰反射基盤部とからなる谷形形状の両端部は屈曲可能に前記側板部に接合されており、前記支持板部と前記再帰反射基盤部とを対面して折り畳み可能に前両側板部に折り込みを形成してなる請求項１又は請求項２記載の箱型空間映像結像装置。
【考案の詳細な説明】
【技術分野】
【０００１】  本考案は、携帯できる箱型空間映像結像装置に関するものである。
【背景技術】
【０００２】  従来より、対象物からの光の通路にハーフミラーと再帰反射板とを置いて透過と反射により対象物の映像をハーフミラー上方に形成する映像表示用装置は知られている（特許文献１参照）。【０００３】  また、前記映像表示用装置を自動車に採用して運転台に時刻や計器盤の指針数値などの情報を結像させる表示装置が提案されている（例えば、特許文献２参照）。
【先行技術文献】
【特許文献】
【０００４】
【特許文献１】特表平９−５０６７１７号公報
【特許文献２】特開２０１０−２２４２９２号公報
【考案の概要】
【考案が解決しようとする課題】
【０００５】  前記従来の表示装置はいずれも映像を出力する手段が内蔵されているので、前記表示装置を手軽に持ち運ぶことができないという問題点があった。また、映像を出力する手段を前記表示装置から分離することができないので、近年、汎用されているスマートデバイス等の通信端末や携帯型ゲーム機器を前記映像を出力する手段として利用できないという問題点があった。【０００６】  そこで、本考案は、映像を出力する手段を分離して軽量且つ小型化を実現して携帯することができる技術的手段を提供するものである。
【課題を解決するための手段】
【０００７】  前記技術的課題は、次の通りの本考案によって解決できる。【０００８】  即ち、本考案に係る箱型空間映像結像装置は、表示装置を装着する支持板部と、支持板部に装着される表示装置の表示面に対して角度を有して支持板部の上方位置に配置されたハーフミラー部と、ハーフミラー部と支持板部とに対してそれぞれ角度を設けて対面する位置に配置された再帰反射基盤部とを備え、前記支持板部に装着される前記表示装置と前記ハーフミラー部と前記再帰反射基盤部とにより光学系空間が形成され、当該光学系空間において前記表示装置の表示面からの出力光が前記ハーフミラー部に反射して前記再帰反射基盤部へ投光され、さらに前記再帰反射基盤部からの再帰反射光が前記ハーフミラー部に照射されて前記ハーフミラー部を通過する前記再帰反射光により前記ハーフミラー部の上方に浮いた状態で映像を結像する箱型空間映像結像装置であって、前記支持板部と前記再帰反射基盤部とにより前記光学系空間を上向きに開口させて両側より前記光学系空間を挟む両側板部を設け、前記上向き開口に前記ハーフミラー部を配置し、前記表示装置を前記光学系空間内に挿着する挿入口を設けたものである。【０００９】  また、本考案は、前記箱型空間映像結像装置において、光学系空間が支持板部とハーフミラー部と再帰反射基盤部と両側板部とを含んで構成されており、挿入口が光学系空間を構成する各部のいずれかに設けられているものである。【００１０】  また、本考案は、前記いずれかの箱型空間映像結像装置において、前記支持板部と前記再帰反射基盤部とは共に矩形状に形成されて谷形可能に連結されており、連結した前記支持板部と前記再帰反射基盤部との両側縁には前記両側板部に支持されて前記谷形を形成する嵌合部が設けられている組立て分解可能になっているものである。【００１１】  さらに、本考案は、前記いずれかの箱型空間映像結像装置において、前記支持板部と前記再帰反射基盤部とは共に矩形状に形成されて谷形に連結され、前記支持板部と前記再帰反射基盤部とからなる谷形形状の両端縁は屈曲可能に前記側板部に接合されており、前記支持板部と前記再帰反射基盤部とを対面して折り畳み可能に前両側板部に折り込みを形成してなるものである。
【考案の効果】
【００１２】  本考案によれば、表示装置を装着する支持板部と、当該支持板部に装着される表示装置の表示面に対して角度を有して当該支持板部の上方位置に配置されたハーフミラー部と、当該ハーフミラー部と前記支持板部とに対してそれぞれ角度を設けて対面する位置に配置された再帰反射基盤部とを備え、表示装置を挿入する挿入口を設けて構成したので、軽量且つ小型化を実現して携帯することができるから、映像出力手段としてスマートデバイス等の通信端末や携帯型ゲーム機器を用いることができ、いつでもどこでも空間映像を結像させることができる。
【図面の簡単な説明】
【００１３】
【図１】  本考案に係る箱型空間映像結像装置を示す斜視図である。
【図２】  図１に図示する光学系空間を走る光路を説明する図である。
【図３】  図１に図示する光学系空間を走る光路を説明する図である。
【図４】  箱型空間映像結像装置の分解図である。
【図５】  箱型空間映像結像装置の組み立て完成図である。
【図６】  一部を省略した箱型空間映像結像装置を示す説明図である。
【図７】  折り畳み可能な箱型空間映像結像装置を示す説明図である。
【図８】  箱型空間映像結像装置の挿入口を示す説明図である。
【考案を実施するための形態】
【００１４】  以下、本考案の実施の形態を図面に基づき説明する。
【００１５】実施の形態．
【００１６】  図１において、１は箱型空間映像結像装置であり、当該箱型空間映像結像装置１は、スマートデバイス（表示装置）２を装着する扁平な矩形支持板部３と、支持板部３に装着されるスマートデバイス２の表示面４に対して角度を有して支持板部３の上方位置に配置された扁平な矩形ハーフミラー部５と、ハーフミラー部５と支持板部３とに対してそれぞれ角度を設けて対面する位置に配置され、支持板部３に対して略直角に屈曲して連続する扁平な矩形再帰反射基盤部６と、支持板部３に装着されるスマートデバイス２とハーフミラー部５と再帰反射基盤部６とにより形成される光学系空間７を上向きに開口するように両側より光学系空間７を挟む両側板部８，８とから構成されている。
【００１７】  前記ハーフミラー部５は前記光学系空間７の上向き開口を塞ぐように配置され、ハーフミラー部５の支持板部３に面する位置には、スマートデバイス２を光学系空間７に挿入して支持板部３に装着する挿入口９が設けられている。また、側板部８はハーフミラー部５を上向きに保持する足部１０となっている。なお、１１はハーフミラー部５を両側板部８，８に固定する係止部である。
【００１８】  図２に示すように、前記光学系空間７ではスマートデバイス２の表示面４からの出力光ａがハーフミラー部５に反射して再帰反射基盤部６へ投光ｂされ、さらに再帰反射基盤部６からの再帰反射光ｃがハーフミラー部５に照射されてハーフミラー部５を通過する再帰反射光ｃによりハーフミラー部５の上方に浮いた状態で映像を結像する。
【００１９】  本実施の形態によれば、図３に示すように、別途携帯しているスマートデバイス２を光学系空間７に装着することにより、空間映像１２を結像することができる。
【００２０】  なお、ハーフミラー部５はハーフミラーシートであってもよく、扁平な額縁状枠体にハーフミラーシートを嵌めた構造のものであってもよい。また、再帰反射基盤部６は再帰反射シートであってもよく、台座に再帰反射シートを装着したものであってもよい。挿入口９はスマートデバイス２を横方向から光学系空間７に挿入して支持板部３に装着できるように、側板部８に設けられていてもよく、支持板部３に設けてもよい。さらに、支持板部３と再帰反射基盤部６とは他部材を介して連結されていてもよく、その角度は光の反射する角であればよい。
【００２１】変形例１．
【００２２】  図４に示すように支持板部３と再帰反射基盤部６とは扁平な矩形台座１３を谷形に折り曲げ可能となっており、一方を支持板部３とし、他方を再帰反射基盤部６として連結されており、再帰反射基盤部６には再帰反射シート１４を装着するようになっている。また、ハーフミラー部５はハーフミラーシートそのものである。
【００２３】  側板部８は断面逆Ｌ字状に形成され、上部はハーフミラー部５の載置台１５となり、下部は平面視こつづみ状に形成して足部１０となっている。
【００２４】  そして、連結した支持板部３と再帰反射基盤部６との両側縁１６には側板部８に支持されて前記谷形を形成する凸状嵌合部１７が設けられ、凸状嵌合部１７は側板部８にＶ字状に間欠的に走る嵌合穴１８に嵌るようになっている。また、載置台１５の外縁に凸状嵌合部１９が設けられ、ハーフミラーシート５に開口する嵌合穴２０に嵌めて側板部８にハーフミラーシート５を固定するようになっている。
【００２５】  本変形例では、支持板部３と再帰反射基盤部６とハーフミラーシート５と両側板部８，８をそれぞれパーツで構成しているので、図５に示すように、いつでもどこでも組立て分解が可能である。
【００２６】変形例２．
【００２７】  図６に示すように扁平な矩形台座１３を折り曲げて一方を支持板部３とし、他方を再帰反射シート１４を載置する再帰反射シート用台座２１とし、矩形台座１３と再帰反射シート用台座２１とにはそれぞれスマートデバイス２と再帰反射シート１４とを挿着して固定するストッパー２２を設けた。なお、手前の側板部８は省略した。
【００２８】変形例３．
【００２９】  図７に示すように支持板部３と再帰反射基盤部６とからなる谷形形状の両端縁２３は屈曲可能に側板部８に接合されており、支持板部３と再帰反射基盤部６とを対面して折り畳み可能に両側板部８に折込線２４を形成した。
【００３０】  本箱型空間映像結像装置１では支持板部３と再帰反射基盤部６とにより形成される谷間から両側板部８，８の上端に向かって折込線２４を形成したので、図７に示すように、両側板８，８を内側に折り曲げて支持板部３と再帰反射基盤部６とを対面して合わせれば、扁平に折り畳むことができる。
変形例４．
【００３１】  図８に示すように光学系空間７は、支持板部３と再帰反射基盤部６とハーフミラーシート５と両側板部８，８と底板部２５とから構成されており、底板部２５に挿入口９を設けてスマートデバイス２を差し込むようにしたものである。
【００３２】  本考案では、樹脂板や厚紙、木等板材を利用することにより、高価な金型が必要なく、また、組み立てはユーザーが行うため大幅なコストダウンが可能となる。
【符号の説明】
【００３３】  １  箱型空間映像結像装置、２  スマートデバイス、３  支持板部、４  表示面、５  ハーフミラー部、６  再帰反射基盤部、７  光学系空間、８  側板部、９  挿入口、１０  足部、１１  係止部、１２  空間映像、１３  矩形台座、１４  再帰反射シート、１５  載置台、１６  両側縁、１７，１９  嵌合部、１８，２０  嵌合穴、２１  再帰反射シート用台座、２２  ストッパー、２３  両端縁、２４  折込線、２５  底板部
【図１】
0003215743.tif 000003
【図２】
0003215743.tif 000004
【図３】
0003215743.tif 000005
【図４】
0003215743.tif 000006
【図５】
0003215743.tif 000007
【図６】
0003215743.tif 000008
【図７】
0003215743.tif 000009
【図８】
0003215743.tif 000010